(57)【要約】【課題】  部材が二次元方向に相対的にずれてもそのずれを吸収して部材同士をボルトで連結することができ、しかも、想定されるずれ量が大きい場合でもボルト頭部やナットのかかり具合を良好なものにして部材同士をしっかりと連結することができる部材同士のボルト連結構造を提供する。【解決手段】  杭頭ベースプレート３と柱側ベースプレート４とにボルト５を通す孔３ａ…，４ａ…が備えられ、各孔３ａ…，４ａ…は長孔からなり、杭側ベースプレート３の長孔３ａ…と柱側ベースプレート４の長孔４ａ…とは交差する方向を向き、長孔交差部を通じてボルト５…が通され、該ボルト５で前記ベースプレート３，４同士が連結されている。【選択図】      図１
2005048537.tif 000002
【特許請求の範囲】
【請求項１】
第１部材と第２部材とにボルトを通す孔が備えられ、各孔は長孔からなり、第１部材の長孔と第２部材の長孔とは交差する方向を向き、長孔交差部を通じてボルトが通され、該ボルトで部材同士が連結されていることを特徴とする部材同士のボルト連結構造。
【請求項２】
杭頭ベースプレートと柱側ベースプレートとにボルトを通す孔が備えられ、各孔は長孔からなり、杭側ベースプレートの長孔と柱側ベースプレートの長孔とは交差する方向を向き、長孔交差部を通じてボルトが通され、該ボルトで前記ベースプレート同士が連結されていることを特徴とする杭と柱のボルト連結構造。
【発明の詳細な説明】
【技術分野】
【０００１】
本発明は、例えば杭と柱の連結などに用いられるの部材同士のボルト連結構造に関する。
【背景技術】
【０００２】
例えば、地面に打ち込まれた鋼管杭の杭頭ベースプレートと、柱の下端のベースプレートとをボルトで連結するような場合、杭頭ベースプレートのボルト孔と柱側ベースプレートのボルト孔とを完全に一致させるのは難しく、水平二次元方向にずれてしまうため、いずれか一方のベースプレートのボルト孔をサイズの大きい丸孔に加工することで、そのずれを吸収することが行われている。
【特許文献１】特開平９−１８４２０３２号公報
【発明の開示】
【発明が解決しようとする課題】
【０００３】
しかしながら、ボルト孔のずれをサイズの大きい丸孔で吸収する構造では、想定されるずれ量が大きいような場合は、丸孔のサイズもそれに応じて大きくしておく必要があるが、そうすると、ベースプレートに対するボルト頭部やナットのかかり具合が悪くなってしまうという問題を生じる。
【０００４】
本発明は、上記のような問題点に鑑み、部材が二次元方向に相対的にずれてもそのずれを吸収して部材同士をボルトで連結することができ、しかも、想定されるずれ量が大きい場合でもボルト頭部やナットのかかり具合を良好なものにして部材同士をしっかりと連結することができる部材同士のボルト連結構造を提供することを課題とする。
【課題を解決するための手段】
【０００５】
上記の課題は、第１部材と第２部材とにボルトを通す孔が備えられ、各孔は長孔からなり、第１部材の長孔と第２部材の長孔とは交差する方向を向き、長孔交差部を通じてボルトが通され、該ボルトで部材同士が連結されていることを特徴とする部材同士のボルト連結構造によって解決される。
【０００６】
このボルト連結構造では、部材が二次元方向に相対的にずれても、そのずれを、交差する組の長孔が吸収し、ボルトを両部材のボルト通孔に通すことができて、両部材をボルトで連結することができる。
【０００７】
しかも、想定されるずれ量が大きい場合には、各部材のボルト孔の長孔を長くすることによってそのようなずれを吸収することができ、そうしたからといってボルト頭部やナットのかかり具合が悪くなるということもなく、部材同士をボルトでしっかりと連結することができる。
【０００８】
また、上記の課題は、杭頭ベースプレートと柱側ベースプレートとにボルトを通す孔が備えられ、各孔は長孔からなり、杭側ベースプレートの長孔と柱側ベースプレートの長孔とは交差する方向を向き、長孔交差部を通じてボルトが通され、該ボルトで前記ベースプレート同士が連結されていることを特徴とする杭と柱のボルト連結構造によって解決される。
【０００９】
この構造は、杭頭ベースプレートと柱側ベースプレートとの連結に本発明を適用したもので、杭頭ベースプレートと柱側ベースプレートとが水平二次元方向に相対的にずれても、そのずれを、交差する組の長孔が吸収し、ボルトを両ベースプレートのボルト通孔に通すことができて両ベースプレートをボルトで連結することができる。しかも、想定されるずれ量が大きい場合には、各ベースプレートのボルト孔の長孔を長くすることによってそのようなずれを吸収することができ、そうしたからといってボルト頭部やナットのかかり具合が悪くなるというようなこともなく、ベースプレート同士をボルトでしっかりと連結することができる。
【発明の効果】
【００１０】
本発明は、以上のとおりのものであるから、部材が二次元方向に相対的にずれてもそのずれを吸収して部材同士をボルトで連結することができ、しかも、想定されるずれ量が大きい場合でもボルト頭部やナットのかかり具合を良好なものにして部材同士をしっかりと連結することができる。
【発明を実施するための最良の形態】
【００１１】
次に、本発明の実施最良形態を図面に基づいて説明する。
【００１２】
図１及び図２に示す第１実施形態は、杭１と柱２のボルト連結構造についてのものであり、杭１は、鋼管杭からなり、杭頭に平面視方形の第１部材としての杭頭ベースプレート３が溶接等で取り付けられている。また、柱２は、角形鋼管からなり、下端部に平面視方形の第２部材としての柱側ベースプレート４が溶接等で取り付けられている。
【００１３】
杭頭ベースプレート３には、ボルト５…を通す複数のボルト通孔３ａ…が設けられ、また、柱側ベースプレート４にも、杭頭ベースプレート３のボルト通孔３ａ…に対応する複数のボルト通孔４ａ…が設けられている。そして、各ボルト通孔３ａ…，４ａ…はそれぞれ長孔からなっていて、杭頭ベースプレート３の各長孔３ａ…は、柱側ベースプレート４の対応する長孔４ａ…に対して直交して交差するように向けられている。本実施形態では、杭頭ベースプレート３の長孔３ａ…が互いに同じ方向に向けられ、柱側ベースプレート４の長孔４ａ…も互いに同じ方向に向けられている。そして、杭頭ベースプレート３と柱側ベースプレート４とは、これら長孔交差部にボルト５…が通され、該ボルト５…にナット６…が螺合され締め付けらて連結され、杭１と柱２とを連結している。
【００１４】
上記の連結構造において、図２（ハ−１）（ハ−２）に示すように、杭頭ベースプレート３と柱側ベースプレート４とがずれていない場合は、杭頭ベースプレート３のボルト通孔３ａと柱側ベースプレート４のボルト通孔４ａとは十字状に交差し、その交差部にボルト５を通すことにより、両ベースプレート３，４をボルト５…で連結することができる。
【００１５】
また、図３（イ−１）に示すように、杭頭ベースプレート３と柱側ベースプレート４とが図面左右方向にずれる場合は、図３（イ−２）に示すように、杭頭ベースプレート３のボルト通孔３ａと柱側ベースプレート４のボルト通孔４ａとが横向きＴ字状に交差し、その交差部にボルト５を通すことにより、両ベースプレート３，４をボルト５…で連結することができる。
【００１６】
更に、図３（ロ−１）に示すように、杭頭ベースプレート３と柱側ベースプレート４とが図面斜め方向にずれる場合は、図３（ロ−２）に示すように、杭頭ベースプレート３のボルト通孔３ａと柱側ベースプレート４のボルト通孔４ａとがＬ字状に交差し、その交差部にボルト５を通すことにより、両ベースプレート３，４をボルト５…で連結することができる。
【００１７】
更にまた、図３（ハ−１）に示すように、杭頭ベースプレート３と柱側ベースプレート４とが図面上下方向にずれる場合は、図３（ハ−２）に示すように、杭頭ベースプレート３のボルト通孔３ａと柱側ベースプレート４のボルト通孔４ａとがＴ字状に交差し、その交差部にボルト５を通すことにより、両ベースプレート３，４をボルト５…で連結することができる。
【００１８】
このように、上記の杭柱連結構造によれば、杭頭ベースプレート３と柱側ベースプレート４とが水平二次元方向にずれることがあっても、そのずれを、交差する長孔３ａ…，４ａ…が吸収し、ボルト５…を両ベースプレート３，４のボルト通孔３ａ…，４ａ…に通すことができて、両ベースプレート３，４をボルト５…で連結することができる。
【００１９】
しかも、想定されるずれ量が大きい場合であっても、各ベースプレート３，４の長孔ボルト孔３ａ…，４ａ…を長くすることによってそのようなずれを吸収することができ、そうしたからといって、ボルト５の頭部５ａやナット６のかかり具合が悪くなるということもなく、ベースプレート３，４同士をボルト５…でしっかりと連結することができる。
【００２０】
図４及び図５に示す第２実施形態では、杭頭ベースプレート３に備えられた複数の長孔３ａ…が縦横斜めと異なる方向に向けられ、それに応じて柱側ベースプレート４の長孔４ａ…も杭頭ベースプレート３の長孔３ａ…と直交して交差するように縦横斜めと異なる方向に向けられている。そして、図６に示すように、両ベースプレート３，４は、それらの水平二次元方向の相対的なずれに対し、対応する長孔３ａ，４ａが十字状、Ｔ字状、Ｌ字状に交差し、該交差部にボルト５…が通されることでボルト５…により連結されている。その他は、上記の実施形態と同様である。
【００２１】
以上に、本発明の実施形態を示したが、本発明はこれに限られるものではなく、発明思想を逸脱しない範囲で各種の変更が可能である。例えば、本発明では、ベースプレートに形成するボルト孔の数や位置、向きに制限はなく、種々の数のボルト孔が種々の位置に種々の方向に向けられて形成されていてよい。また、上記の実施形態では、杭頭ベースプレート３の長孔３ａ…と柱側ベースプレート４の長孔４ａ…とが直交して交差するようにした場合を示しているが、直交しないで交差するようにしてもよい。
【００２２】
また、上記の実施形態では、本発明を杭頭ベースプレートと柱側ベースプレートとのボルト連結構造に適用した場合を示しているが、本発明は、二次元方向の相対的なずれを生じるような部材同士のボルトによる連結構造として広く用いることができるものである。もちろん、三次元方向の相対的なずれを生じるような場合に、そのうちの二次元方向の相対的なずれを吸収する構造として採用することもできる。
【図面の簡単な説明】
【００２３】
【図１】第１実施形態のボルト連結構造を示す分解斜視図である。
【図２】図（イ）は杭頭ベースプレートの平面図、図（ロ）は柱側ベースプレートを示す断面平面図、図（ハ−１）はボルト連結構造の断面平面図、図（ハ−２）は図（ハ−１）の要部拡大平面図である。
【図３】図（イ−１）（ロ−１）（ハ−１）はそれぞれ各種芯ずれ状態でのボルト接合状態を示す断面平面図、図（イ−２）（ロ−２）（ハ−２）はそれぞれそれらの要部平面図である。
【図４】第１実施形態のボルト連結構造を示す分解斜視図である。
【図５】図（イ）は杭頭ベースプレートの平面図、図（ロ）は柱側ベースプレートを示す断面平面図、図（ハ−１）はボルト連結構造の断面平面図、図（ハ−２）は図（ハ−１）の要部拡大平面図である。
【図６】図（イ−１）（ロ−１）（ハ−１）はそれぞれ各種芯ずれ状態でのボルト接合状態を示す断面平面図、図（イ−２）（ロ−２）（ハ−２）はそれぞれそれらの要部平面図である。
【符号の説明】
【００２４】
１…鋼管杭（杭）
２…柱
３…杭頭ベースプレート（第１部材）
３ａ…ボルト通孔
４…柱側ベースプレート（第２部材）
４ａ…ボルト通孔
５…ボルト
６…ナット
【図１】
2005048537.tif 000003
【図２】
2005048537.tif 000004
【図３】
2005048537.tif 000005
【図４】
2005048537.tif 000006
【図５】
2005048537.tif 000007
【図６】
2005048537.tif 000008